(57)【要約】【課題】印刷部数を印刷動作の途中で変更しても、迅速な印刷処理を達成することのできる、印刷装置を提供すること。【解決手段】レーザプリンタ１の入力キー部６０として、印刷部数の設定変更のための部数変更キー６１、印刷部数を増減させるための部数加算キー６２および部数減算キー６３、変更した印刷部数を確定するための部数確定キー６４、印刷動作を中断するための印刷中断キー６５および印刷動作を中止するための印刷中止キー６６を設けて、印刷動作の途中で部数変更キー６１を押下した後、部数加算キー６２および部数減算キー６３を押下することにより、印刷部数を増減させ、部数確定キー６４を押下することにより、その変更された印刷部数をＲＡＭ５３に設定する。これによって、印刷動作中に印刷部数を変更することができ、印刷時間の短縮化および印刷効率の向上を図ることができる。【選択図】　　図２
2004114453.tif 000002
【特許請求の範囲】
【請求項１】
記録媒体に印刷する印刷手段と、印刷部数を記憶する印刷部数記憶手段と、前記印刷部数記憶手段に記憶される印刷部数に基づいて、前記印刷手段に印刷させる印刷制御手段とを備える印刷装置において、
前記印刷手段の印刷動作中に、前記印刷部数記憶手段に記憶される印刷部数を変更可能とする印刷部数変更手段を備えていることを特徴とする、印刷装置。
【請求項２】
前記印刷制御手段は、頁毎に印刷部数分連続するように、前記印刷手段に印刷させることを特徴とする、請求項１に記載の印刷装置。
【請求項３】
１つの印刷ジョブを記憶することができるジョブ記憶手段を備え、
前記印刷制御手段は、前記ジョブ記憶手段に記憶された印刷ジョブの頁順に連続して印刷部数分、前記印刷手段に印刷させることを特徴とする、請求項１に記載の印刷装置。
【請求項４】
前記印刷部数変更手段は、変更すべき印刷部数を入力するための入力手段を備えていることを特徴とする、請求項１ないし３のいずれかに記載の印刷装置。
【請求項５】
前記印刷手段の印刷動作を、中断するための印刷中断手段を備え、
前記印刷部数変更手段は、前記印刷中断手段による印刷中断中に、前記印刷部数記憶手段に記憶される印刷部数を変更可能とすることを特徴とする、請求項１ないし４のいずれかに記載の印刷装置。
【請求項６】
前記印刷手段の印刷動作を、中止するための印刷中止手段を備えていることを特徴とする、請求項１ないし５のいずれかに記載の印刷装置。
【請求項７】
前記印刷部数変更手段は、前記印刷部数記憶手段に記憶される印刷部数を増減するための印刷部数増減手段と、前記印刷部数増減手段によって増減された印刷部数を確定して、前記印刷部数記憶手段に記憶させるための印刷部数確定手段とを備えていることを特徴とする、請求項１ないし６のいずれかに記載の印刷装置。
【請求項８】
前記部数変更手段は、印刷部数が変更されたときに前記印刷手段が印刷動作中であった部に対する前記印刷手段の印刷動作が終了した後、変更された印刷部数を前記印刷部数記憶手段に記憶させることを特徴とする、請求項３ないし７のいずれかに記載の印刷装置。
【発明の詳細な説明】
【０００１】
【発明の属する技術分野】
本発明は、レーザプリンタなどの印刷装置に関する。
【０００２】
【従来の技術】
レーザプリンタなどの印刷装置では、複数頁を１部として、複数の印刷部数を印刷できるように構成されている。このような複数の印刷部数の印刷は、通常、印刷開始時に印刷したい印刷部数を設定するが、印刷動作の途中で印刷部数を変更したい場合には、その印刷動作を一旦中断して、それまでに印刷された印刷部数を数え、それから印刷したい残りの印刷部数を再度設定するようにしている。
【０００３】
たとえば、特開平１１−１１９９５２号公報では、印刷が開始されると、操作部に印刷初期画面が表示され、ユーザが画面から印刷中断を選択すると、印刷が中断され、印刷動作変更の画面が表示されるので、ユーザが、その印刷動作変更の画面から中断以降の印刷部数を変更できることが記載されている。
【０００４】
【特許文献１】
特開平１１−１１９９５２号公報
【発明が解決しようとする課題】
しかし、このように、印刷部数を印刷動作の途中に変更したい場合に、わざわざ印刷動作を中断していては、印刷効率が低下し、とりわけ、印刷部数を増やしたい場合には、印刷時間が長くなるので、印刷効率の著しい低下を招くという不具合を生じる。
【０００５】
本発明は、このような不具合に鑑みなされたもので、その目的とするところは、印刷部数を印刷動作の途中で変更しても、迅速な印刷処理を達成することのできる、印刷装置を提供することにある。
【０００６】
【課題を解決するための手段】
上記目的を達成するため、請求項１に記載の発明は、記録媒体に印刷する印刷手段と、印刷部数を記憶する印刷部数記憶手段と、前記印刷部数記憶手段に記憶される印刷部数に基づいて、前記印刷手段に印刷させる印刷制御手段とを備える印刷装置において、前記印刷手段の印刷動作中に、前記印刷部数記憶手段に記憶される印刷部数を変更可能とする印刷部数変更手段を備えていることを特徴としている。
【０００７】
このような構成によると、印刷部数変更手段によって、印刷手段の印刷動作中に、印刷部数記憶手段に記憶される印刷部数を変更することができるので、印刷制御手段は、印刷動作中に変更された印刷部数を、印刷動作を中断させることなく、印刷手段に印刷させることができる。そのため、印刷効率の向上を図ることができる。
【０００８】
また、請求項２に記載の発明は、請求項１に記載の発明において、前記印刷制御手段は、頁毎に印刷部数分連続するように、前記印刷手段に印刷させることを特徴としている。
【０００９】
このような構成によると、印刷制御手段が、頁毎に印刷部数分連続して印刷手段に印刷させるので、１頁分のメモリでスタック印刷を行なうことができる。そのため、余分なメモリを必要とせずに、装置コストの低減化を図り、迅速な印刷処理を達成することができる。
【００１０】
また、請求項３に記載の発明は、請求項１に記載の発明において、１つの印刷ジョブを記憶することができるジョブ記憶手段を備え、前記印刷制御手段は、前記ジョブ記憶手段に記憶された印刷ジョブの頁順に連続して印刷部数分、前記印刷手段に印刷させることを特徴としている。
【００１１】
このような構成によると、印刷制御手段は、ジョブ記憶手段に記憶された印刷ジョブの頁順に連続して印刷部数分、印刷手段に印刷させるので、印刷ジョブの頁順に連続して印刷部数分を印刷するソート印刷を行なうことができる。そのため、印刷後の仕分け処理が不要となるので、作業効率の向上を図ることができる。
【００１２】
また、請求項４に記載の発明は、請求項１ないし３のいずれかに記載の発明において、前記印刷部数変更手段は、変更すべき印刷部数を入力するための入力手段を備えていることを特徴としている。
【００１３】
このような構成によると、印刷部数を変更したい場合には、変更すべき印刷部数を入力手段により入力することによって、その印刷部数を変更することができる。そのため、簡易かつ確実に印刷部数の変更を行なうことができる。
【００１４】
また、請求項５に記載の発明は、請求項１ないし４のいずれかに記載の発明において、前記印刷手段の印刷動作を、中断するための印刷中断手段を備え、前記印刷部数変更手段は、前記印刷中断手段による印刷中断中に、前記印刷部数記憶手段に記憶される印刷部数を変更可能とすることを特徴としている。
【００１５】
このような構成によると、印刷中断手段によって印刷動作を中断して、その印刷動作中断中に、印刷部数記憶手段に記憶された印刷部数を変更することができる。そのため、印刷状況に対応して、印刷動作中に印刷部数を変更するか、印刷動作を中断して印刷部数を変更するかを選択することができる。
【００１６】
また、請求項６に記載の発明は、請求項１ないし５のいずれかに記載の発明において、前記印刷手段の印刷動作を、中止するための印刷中止手段を備えていることを特徴としている。
【００１７】
このような構成によると、印刷手段の印刷動作を、印刷中止手段によって中止することができる。そのため、所望の印刷枚数が印刷されていれば、印刷部数を変更せず、中止することによって、作業の効率化を図ることができる。
【００１８】
また、請求項７に記載の発明は、請求項１ないし６のいずれかに記載の発明において、前記印刷部数変更手段は、前記印刷部数記憶手段に記憶される印刷部数を増減するための印刷部数増減手段と、前記印刷部数増減手段によって増減された印刷部数を確定して、前記印刷部数記憶手段に記憶させるための印刷部数確定手段とを備えていることを特徴としている。
【００１９】
このような構成によると、印刷部数記憶手段に記憶された印刷部数を、印刷部数増減手段によって増減し、その増減した印刷部数を、印刷部数確定手段によって確定することができる。そのため、印刷部数増減手段によって増減した印刷部数を確実に設定して、確実な印刷処理を達成することができる。
【００２０】
また、請求項８に記載の発明は、請求項３ないし７のいずれかに記載の発明において、前記部数変更手段は、印刷部数が変更されたときに前記印刷手段が印刷動作中であった部に対する前記印刷手段の印刷動作が終了した後、変更された印刷部数を前記印刷部数記憶手段に記憶させることを特徴としている。
【００２１】
このような構成によれば、印刷の途中で印刷部数が変更されても、その時に印刷されている部に対する印刷動作が終了するまでは、部数変更手段は、変更された印刷部数を前記印刷部数記憶手段に記憶させない。そのため、印刷している部の途中で印刷動作が終了されることなく、半端な印刷部数が生じることを防止することができる。
【００２２】
【発明の実施の形態】
図１は、本発明の画像形成装置としてのレーザプリンタ１の一実施形態を示す要部側断面図である。図１において、レーザプリンタ１は、本体ケーシング２内に、記録媒体としての用紙３を給紙するためのフィーダ部４や、給紙された用紙３に画像を形成するための画像形成部５などを備えている。
【００２３】
フィーダ部４は、本体ケーシング２内の底部に、着脱可能に装着される給紙トレイ６と、給紙トレイ６内に設けられた用紙押圧板７と、給紙トレイ６の一端部の上方に設けられる給紙ローラ８および給紙パット９と、給紙ローラ８に対し用紙３の搬送方向の下流側（以下、用紙３の搬送方向上流側または下流側を、単に、上流側または下流側という場合がある。）に設けられる搬送ローラ１０および１１と、搬送ローラ１０および１１に対し用紙３の搬送方向の下流側に設けられるレジストローラ１２とを備えている。
【００２４】
用紙押圧板７は、用紙３を積層状にスタック可能とされ、給紙ローラ８に対して遠い方の端部において揺動可能に支持されることによって、近い方の端部を上下方向に移動可能とし、また、その裏側から図示しないばねによって上方向に付勢されている。そのため、用紙押圧板７は、用紙３の積層量が増えるに従って、給紙ローラ８に対して遠い方の端部を支点として、ばねの付勢力に抗して下向きに揺動される。
【００２５】
給紙ローラ８および給紙パット９は、互いに対向状に配設され、給紙パット９の裏側に配設されるばね１３によって、給紙パット９が給紙ローラ８に向かって押圧されている。用紙押圧板７上の最上位にある用紙３は、用紙押圧板７の裏側から図示しないばねによって給紙ローラ８に向かって押圧され、その給紙ローラ８の回転によって給紙ローラ８と給紙パット９とで挟まれた後、１枚毎に給紙される。給紙された用紙３は、搬送ローラ１０および１１によってレジストローラ１２に送られる。
【００２６】
レジストローラ１２は、１対のローラから構成されており、用紙３を所定のレジスト後に、画像形成部５に送るようにしている。
【００２７】
なお、このフィーダ部４は、さらに、マルチパーパストレイ１４と、マルチパーパストレイ１４上に積層される用紙３を給紙するためのマルチパーパス給紙ローラ１５およびマルチパーパス給紙パット１５ａとを備えている。マルチパーパス給紙ローラ１５およびマルチパーパス給紙パット１５ａは、互いに対向状に配設され、マルチパーパス給紙パット１５ａの裏側に配設される図示しないばねによって、マルチパーパス給紙パット１５ａがマルチパーパス給紙ローラ１５に向かって押圧されている。マルチパーパストレイ１４上に積層される用紙３は、マルチパーパス給紙ローラ１５の回転によってマルチパーパス給紙ローラ１５とマルチパーパス給紙パット１５ａとで挟まれた後、１枚毎に給紙される。
【００２８】
画像形成部５は、スキャナユニット１６、プロセスカートリッジ１７、転写ローラ１８および熱定着部１９などを備えている。
【００２９】
スキャナユニット１６は、本体ケーシング２内の上部に設けられ、レーザ発光部（図示せず。）、回転駆動されるポリゴンミラー２０、レンズ２１および２２、反射鏡２３などを備えており、レーザ発光部から発光される画像データに基づくレーザビームを、鎖線で示すように、ポリゴンミラー２０、レンズ２１、反射鏡２３、レンズ２２の順に通過あるいは反射させて、後述するプロセスカートリッジ１７の感光ドラム２４の表面上に高速走査にて照射させている。
【００３０】
プロセスカートリッジ１７は、スキャナユニット１６の下方に配設され、本体ケーシング２に対して着脱自在に装着されるように構成されている。このプロセスカートリッジ１７は、感光ドラム２４を備えるとともに、図示しない、スコロトロン型帯電器、現像ローラ、供給ローラ、トナー収容部などを備えている。
【００３１】
トナー収容部には、現像剤として、正帯電性の非磁性１成分の重合トナーが充填されている。このトナーとしては、重合性単量体、たとえば、スチレンなどのスチレン系単量体や、アクリル酸、アルキル（Ｃ１〜Ｃ４）アクリレート、アルキル（Ｃ１〜Ｃ４）メタアクリレートなどのアクリル系単量体を、懸濁重合などの公知の重合方法によって共重合させることにより得られる重合トナーが使用されている。このような重合トナーは、球状をなし、流動性が極めて良好であるため、高画質の画像を形成することができる。なお、このようなトナーには、カーボンブラックなどの着色剤やワックスなどが配合されるとともに、流動性を向上させるために、シリカなどの外添剤が添加されている。その平均粒径は、約６〜１０μｍ程度である。
【００３２】
そして、トナー収容部のトナーが、供給ローラによって現像ローラに供給されることにより、現像ローラに、その供給されたトナーが、一定厚さの薄層として担持される。
【００３３】
一方、感光ドラム２４は、現像ローラと対向状に回転可能に配設されており、ドラム本体が接地されるとともに、その表面がポリカーボネートなどから構成される正帯電性の感光層により形成されている。
【００３４】
そして、感光ドラム２４の表面は、感光ドラム２４の回転に伴なって、スコロトロン型帯電器により一様に正帯電された後、スキャナユニット１６からのレーザービームの高速走査により露光され、画像データに基づく静電潜像が形成され、その後、現像ローラと対向した時に、現像ローラ上に担持されかつ正帯電されているトナーが、その感光ドラム２４の表面に形成される静電潜像、すなわち、一様に正帯電されている感光ドラム２４の表面のうち、レーザービームによって露光され電位が下がっている部分に供給され、選択的に担持されることによって可視像化され、トナー像が形成される。
【００３５】
転写ローラ１８は、感光ドラム２４の下方において、本体ケーシング２側において回転可能に支持された状態で、感光ドラム２４と対向するように配置されている。この転写ローラ１８は、金属製のローラ軸に、導電性のゴム材料からなるローラが被覆されており、感光ドラム２４に対して転写バイアスが印加されている。そのため、感光ドラム２４上に担持されたトナー像は、用紙３が感光ドラム２４と転写ローラ１８との間を通る間に用紙３に転写される。トナー像が転写された用紙３は、搬送ベルト２５を介して、熱定着部１９に搬送される。
【００３６】
熱定着部１９は、プロセスカートリッジ１７の側方下流側に配設され、加熱ローラ２６、加熱ローラ２６と用紙３の搬送経路を挟んで対向配置され、その加熱ローラ２６を押圧する押圧ローラ２７、および、これら加熱ローラ２６および押圧ローラ２７の下流側に設けられる搬送ローラ２８を備えている。
【００３７】
加熱ローラ２６は、アルミニウムなどの金属素管からなる円筒状のローラ本体と、ハロゲンランプとを備えている。
【００３８】
押圧ローラ２７は、金属製のローラ軸に弾性体からなるローラが被覆されており、加熱ローラ２６を所定圧力で押圧している。
【００３９】
そして、この熱定着部１９では、プロセスカートリッジ１７において用紙３上に転写されたトナー像を、用紙３が加熱ローラ２６と押圧ローラ２７との間を通過する間に、熱定着させるようにしている。
【００４０】
そして、熱定着部１９において定着された用紙３は、その後、熱定着部１９の下流側に設けられる搬送ローラ２８およびその搬送ローラ２８の下流側に配置される搬送ローラ２９および排紙ローラ３０に搬送され、その排紙ローラ３０によって排紙トレイ３１上に排紙される。
【００４１】
図２は、レーザプリンタ１の電気的な構成を示すブロック図である。
【００４２】
図２において、このレーザプリンタ１は、ＣＰＵ５１、ＲＯＭ５２、印刷部数記憶手段およびジョブ記憶手段としてのＲＡＭ５３、ＮＶＲＡＭ５４、インターフェイス５５および操作パネル５６などを備えており、これらは、バス５７を介して相互に接続されている。また、これらは、バス５７を介して、上記したフィーダ部４や画像形成部５を含むレーザプリンタ１の機械要素である印刷手段としてのエンジン４２に接続されている。また、このレーザプリンタ１は、インターフェイス５５を介して、外部のＰＣ（パーソナルコンピュータ）５８と接続されている。
【００４３】
ＣＰＵ５１は、レーザプリンタ１における印刷動作の制御の中枢をなしており、ＲＯＭ５２に格納された各種プログラムに基づいて、各種制御を実行する。
【００４４】
ＲＯＭ５２には、このレーザプリンタ１を制御するための各種のプログラムが格納されており、たとえば、ＰＣ５８から入力される印刷ジョブを実行するための印刷制御手段としての印刷プログラムなどが格納されている。
【００４５】
ＲＡＭ５３は、一時的な数値を格納する揮発性メモリであって、たとえば、ＰＣ５８から入力される印刷ジョブ（その印刷ジョブの全頁分の画像データを含む）が一時的に記憶される。
【００４６】
ＮＶＲＡＭ５４は、レーザプリンタ１の電源を切ったり、レーザプリンタ１をリセットしても、記憶されたデータが残る不揮発性メモリであって、たとえば、ページカウンタなどが記憶されている。
【００４７】
操作パネル５６は、レーザプリンタ１の本体ケーシング２の上面に設けられており、図３に示すように、液晶表示部５９および印刷部数変更手段を構成する入力手段としての入力キー部６０から構成されている。
【００４８】
液晶表示部５９は、略矩形状の液晶セルからなり、このレーザプリンタ１における各種設定条件や印刷動作が表示される。また、この液晶表示部５９には、印刷開始前には、最初に設定された印刷部数および印刷枚数が表示され、また印刷途中には、残りの印刷部数および印刷枚数が表示される。
【００４９】
入力キー部６０には、部数変更キー６１、印刷部数増減手段としての部数加算キー６２、印刷部数増減手段としての部数減算キー６３、印刷部数確定手段としての部数確定キー６４、印刷中断手段としての印刷中断キー６５および印刷中止手段としての印刷中止キー６６が備えられている。
【００５０】
部数変更キー６１は、後述の印刷プログラムにおいて、ＲＡＭ５３に記憶された印刷部数を変更するときに、印刷部数の設定変更を開始するためのキーであり、ユーザが、この部数変更キー６１を押下することによって、印刷部数を変更するための印刷部数変更手段を構成する印刷部数変更プログラムがＣＰＵ５１によって起動され、印刷部数の変更が可能となる。
【００５１】
部数加算キー６２は、ユーザが部数変更キー６１を押下した後に、印刷部数を増加させるためのキーであり、ユーザが、「＋」で表示される部数加算キー６２を１回押下する毎に、印刷部数が１部ずつ増加される。
【００５２】
部数減算キー６３は、ユーザが部数変更キー６１を押下した後に、印刷部数を減少させるためのキーであり、ユーザが、「−」で表示される部数減算キー６３を１回押下する毎に、印刷部数が１部ずつ減少される。
【００５３】
部数確定キー６４は、ユーザが、部数加算キー６２および部数減算キー６３によって印刷部数を変更した後に、その変更された印刷部数を確定するためのキーであり、この部数確定キー６４を押下することによって、変更された印刷部数が確定され、その変更された印刷部数がＲＡＭ５３に記憶される。
【００５４】
印刷中断キー６５は、印刷中の印刷動作を一旦中断するときに押下されるキーであり、ユーザが、この印刷中断キー６５を押下することによって、印刷動作が中断される。また、ユーザが、この印刷中断キー６４を再度押下すれば、印刷動作の中断が解除される。そのため、たとえば、ユーザは印刷中断キー６５を押下して、印刷動作を中断させて、その印刷動作の中断中に、上記したように、部数変更キー６１、部数加算キー６２、部数減算キー６３および部数確定キー６４のキー操作によって印刷部数を変更した後、再度、印刷中断キー６５を押下すれば、変更された印刷部数で印刷させることができる。
【００５５】
印刷中止キー６６は、印刷動作を中止するためのキーであり、ユーザが、この印刷中止キー６６を押下することによって、印刷動作が中止される。
【００５６】
そして、このレーザプリンタ１では、ＰＣ５８から、印刷ジョブがインターフェイス５５を介してＲＡＭ５３に入力されると、ＣＰＵ５１が、ＲＯＭ５２内の印刷プログラムに基づいて、エンジン４２の各部を制御して、その印刷ジョブに対応する印刷動作が実行される。
【００５７】
また、このレーザプリンタ１では、印刷ジョブの指示に従って、印刷プログラムにおいて、スタック印刷とソート印刷とが選択的に実行できるように設定されている。
【００５８】
すなわち、スタック印刷は、複数の印刷部数を印刷する場合に、頁毎に印刷部数分連続して印刷する印刷方式であって、たとえば、４頁で１組の書類を３部スタック印刷する場合には、図４（ａ）に示すように、まず、１頁目の１部から３部までが順次印刷され、次いで、２頁目の１部から３部までが順次印刷され、次いで、３頁目の１部から３部までが順次印刷され、最後に、４頁目の１部から３部までが順次印刷される。
【００５９】
このようなスタック印刷によれば、ＲＡＭ５３において１頁分のメモリ容量があれば印刷できるので、余分なメモリを必要とせず、迅速な印刷処理を達成することができる。
【００６０】
なお、このレーザプリンタ１では、スタック印刷とソート印刷との両方の印刷が可能であるが、たとえば、レーザプリンタ１をスタック印刷のみが可能となるようにすれば、メモリ容量の少ない（すなわち、１頁分のメモリ容量が確保される）ＲＡＭ５３を装備すればよく、装置コストの低減化を図ることができる。
【００６１】
また、ソート印刷は、複数の印刷部数を印刷する場合に、頁順に連続して印刷部数分印刷する印刷方式であって、たとえば、４頁で１組の書類を３部ソート印刷する場合には、図４（ｂ）に示すように、まず、１部目の１頁から４頁までが順次印刷され、次いで、２部目の１頁から４頁までが順次印刷され、最後に、３部目の１頁から４頁までが順次印刷される。
【００６２】
このようなソート印刷によれば、印刷後の仕分け処理が不要となるので、作業効率の向上を図ることができる。なお、このようなソート印刷は、ＲＡＭ５３において印刷ジョブの全頁分のメモリ容量が必要とされる。
【００６３】
そして、スタック印刷またはソート印刷の選択は、ユーザにより、ＰＣ５８において、印刷ジョブに設定され、レーザプリンタ１では、入力された印刷ジョブに含まれるスタック印刷またはソート印刷の設定に従って、スタック印刷が選択されている場合には、図５ないし図７に示すスタック印刷に対応する印刷プログラムがＣＰＵ５１によって実行され、ソート印刷が選択されている場合には、図８ないし図１０に示すソート印刷に対応する印刷プログラムがＣＰＵ５１によって実行される。
【００６４】
次に、図５ないし図７を参照して、まず、スタック印刷に対応する印刷プログラムの処理を説明する。
【００６５】
まず、スタック印刷に対応する印刷プログラムの処理が開始されると、ＣＰＵ５１は、入力された印刷ジョブに含まれている当初の印刷部数をＲＡＭ５３に設定する（Ｓ１）。そして、ＣＰＵ５１は、１頁目の１部から順次頁毎に印刷する頁印刷処理を開始する（Ｓ２）。
【００６６】
頁印刷処理が開始されると、ＣＰＵ５１は、その印刷動作中に、操作パネル５６の入力キー部６０のいずれかのキーの押下を監視する（Ｓ３）。すなわち、ＣＰＵ５１は、まず、印刷中止キー６６が押下されるか否かを判断する（Ｓ４）。
【００６７】
ユーザが、印刷動作中に印刷中止キー６６を押下することによって、ＣＰＵ５１が、印刷中止キー６６が押下されたと判断すれば（Ｓ４：ＹＥＳ）、ＣＰＵ５１は、印刷動作を中止し、印刷プログラムを終了する。一方、ユーザが、印刷動作中に印刷中止キー６６を押下せず、ＣＰＵ５１が、印刷中止キー６６が押下されていないと判断すれば（Ｓ４：ＮＯ）、ＣＰＵ５１は、次いで、印刷中断キー６５が押下されるか否かを判断する（Ｓ５）。
【００６８】
ユーザが、印刷動作中に印刷中断キー６５を押下せず、ＣＰＵ５１が、印刷中断キー６５が押下されていないと判断すれば（Ｓ５：ＮＯ）、ＣＰＵ５１は、次いで、部数変更キー６１が押下されるか否かを判断する（Ｓ６）。
【００６９】
ユーザが、印刷動作中に部数変更キー６１を押下せず、ＣＰＵ５１が、部数変更キー６１が押下されていないと判断すれば（Ｓ６：ＮＯ）、ＣＰＵ５１は、当該頁の印刷動作の終了と同時に、頁印刷処理を終了する（Ｓ７：ＹＥＳ）。また、印刷動作が終了していなければ（Ｓ７：ＮＯ）、キー監視（Ｓ３）に戻る。そして、設定されている印刷部数から１を差し引いた印刷部数を、残り印刷部数としてＲＡＭ５３に設定する（Ｓ８）。次いで、ＣＰＵ５１は、この残り印刷部数が０より多いか否かを判断する（Ｓ９）。
【００７０】
ＣＰＵ５１が、残り印刷部数が０よりも多い印刷部数であると判断すれば（Ｓ９：ＹＥＳ）、ＣＰＵ５１は、次の部の頁印刷処理を開始する（Ｓ２）。
【００７１】
より具体的には、図４（ａ）に示すように、４頁で１組の書類を３部スタック印刷する場合に、たとえば、１頁目の１部の頁印刷処理が終了した時点（Ｓ７）では、印刷部数は３であり、次いで、Ｓ８において、残り印刷部数が、３−１＝２と設定される（Ｓ８）。そして、この残り印刷部数２は、０より多いため（Ｓ９：ＹＥＳ）、次いで、１頁目の２部の頁印刷処理が開始される（Ｓ２）。
【００７２】
一方、ＣＰＵ５１が、残り印刷部数が０であると判断すれば（Ｓ９：ＮＯ）、次いで、ＣＰＵ５１は、次頁があるか否かを判断する（Ｓ１０）。
【００７３】
より具体的には、図４（ａ）において、たとえば、１頁目の３部の頁印刷処理が終了した時点（Ｓ７）では、印刷部数は１であり、次いで、Ｓ８において、残り印刷部数が１−１＝０と設定される（Ｓ８）。そして、残り印刷部数が０になると（Ｓ９：ＮＯ）、次頁があるか否かが判断される（Ｓ１０）。
【００７４】
そして、ＣＰＵ５１が、次頁があると判断すれば（Ｓ１０：ＹＥＳ）、ＣＰＵ５１は、残りの印刷部数を印刷部数としてＲＡＭ５３に設定し（Ｓ１）、次頁の頁印刷処理（Ｓ２〜Ｓ７）を実行する。
【００７５】
より具体的には、図４（ａ）において、１頁目の３部の印刷が終了すると、上記したように、残り印刷部数が０となるので、次頁があるか否かが判断される（Ｓ９、Ｓ１０）が、２頁目があるので、ＣＰＵ５１は、次頁があると判断し（Ｓ１０：ＹＥＳ）、２頁目の頁印刷処理を開始する（Ｓ２）。
【００７６】
一方、ＣＰＵ５１が、次頁がないと判断すれば（Ｓ１０：ＮＯ）、印刷プログラムの処理は終了する。
【００７７】
より具体的には、図４（ａ）において、４頁目の３部の頁印刷処理が終了すると（Ｓ７）、残り部数が０となるので（Ｓ８）、次頁があるか否かが判断されるが（Ｓ９、Ｓ１０）、次頁がないので、印刷プログラム処理は終了する。
【００７８】
そして、この印刷プログラムの処理において、印刷動作の途中、たとえば、１頁目の１部ないし４頁目の３部を印刷している印刷動作中に、ユーザが印刷中断キー６５を押下することによって、ＣＰＵ５１が、印刷中断キー６５が押下されたと判断すれば（Ｓ５：ＹＥＳ）、印刷動作が中断され、次いで、ＣＰＵ５１は、図６に示すように、部数変更キー６１が押下されるか否かを判断する（Ｓ１１）。
【００７９】
そして、印刷動作の中断後において、ユーザが、印刷部数を変更したい場合には、部数変更キー６１を押下する。そうすると、ＣＰＵ５１が、部数変更キー６１が押下されたと判断して（Ｓ１１：ＹＥＳ）、印刷プログラムに含まれる印刷部数変更プログラムが起動され、ＣＰＵ５１は、部数加算キー６２または部数減算キー６３が押下されるか否かを判断する（Ｓ１２）。
【００８０】
なお、印刷動作の中断後において、ユーザが、印刷部数を変更しない場合には、部数変更キー６１を押下することなく（Ｓ１１：ＮＯ）、再度、印刷中断キー６５を押下すれば（Ｓ１６：ＹＥＳ）、頁印刷処理が再開される。
【００８１】
そして、ＣＰＵ５１が、部数変更キー６１が押下されたと判断した後（Ｓ１１：ＹＥＳ）、ユーザは、部数加算キー６２または部数減算キー６３を押下して、変更したい印刷部数を入力する。そうすると、ＣＰＵ５１は、部数加算キー６２または部数減算キー６３の押下の回数に従って（Ｓ１２：ＹＥＳ）、変更部数をカウントする（Ｓ１３）。
【００８２】
変更部数の入力は、たとえば、部数加算キー６２の「＋」キーを１回押下する毎に、印刷部数が１部ずつ増加され、部数減算キー６３の「−」キーを１回押下する毎に、印刷部数が１部ずつ減少される。このとき、部数加算キー６２または部数減算キー６３の押下によって変更された印刷部数が液晶表示部５９に表示される。
【００８３】
より具体的には、印刷部数を３部から４部に増加したい場合には、部数加算キー６２の「＋」キーを１回押下する。一方、印刷部数を３部から２部に減少したい場合には、たとえば、部数減算キー６３の「−」キーを１回押下する。
【００８４】
次いで、ＣＰＵ５１は、ユーザによって部数確定キー６４が押下されるか否かを判断する（Ｓ１４）。ユーザが部数確定キー６４を押下することによって、ＣＰＵ５１が、部数確定キー６４が押下されたと判断すれば（Ｓ１４：ＹＥＳ）、現在設定されている印刷部数に、部数加算キー６２または部数減算キー６３の押下により増減された変更部数が加算または減算され、それが変更後の印刷部数としてＲＡＭ５３に設定される。また、残りの印刷部数に、部数加算キー６２または部数減算キー６３の押下により増減された変更部数が加算または減算され、それが変更後の残りの印刷部数として、ＲＡＭ５３に設定される（Ｓ１５）。そして、印刷部数変更プログラムが終了する。
【００８５】
なお、部数変更キー６１の押下後に、ユーザが印刷部数を変更しない場合には、部数加算キー６２または部数減算キー６３を押下することなく（Ｓ１２：ＮＯ）、部数確定キー６４を押下すれば（Ｓ１４：ＹＥＳ）、印刷部数がそのまま確定される（Ｓ１５）。
【００８６】
そして、ＣＰＵ５１は、ユーザが印刷中断キー６５を、再度押下するか否かを判断し（Ｓ１６）、印刷中断キー６５が押下されていないと判断すれば（Ｓ１６：ＮＯ）、Ｓ１１の判断へ戻り、印刷中断キー６５が押下されたと判断すれば（Ｓ１６：ＹＥＳ）、頁印刷処理を再開する。
【００８７】
また、図５において、印刷動作の途中、たとえば、１頁目の１部ないし４頁目の３部の印刷動作中に、ユーザが部数変更キー６１を押下することによって、ＣＰＵ５１が部数変更キー６１が押下されたと判断すれば（Ｓ６：ＹＥＳ）、次いで、印刷プログラムに含まれる印刷部数変更プログラムが起動され、ＣＰＵ５１は、図７に示すように、部数加算キー６２または部数減算キー６３が押下されるか否かを判断する（Ｓ１７）。
【００８８】
そして、ユーザが、部数加算キー６２または部数減算キー６３を押下することによって、ＣＰＵ５１が、部数加算キー６２または部数減算キー６３が押下されたと判断すれば（Ｓ１７：ＹＥＳ）、上記と同様にして、部数加算キー６２の「＋」キーを１回押下する毎に、印刷部数が１部ずつ増加され、部数減算キー６３の「−」キーを１回押下する毎に、印刷部数が１部ずつ減少される。そして、これら部数加算キー６２または部数減算キー６３の押下の回数に従った変更部数が入力される（Ｓ１８）。このとき、部数加算キー６２または部数減算キー６３の押下によって変更された印刷部数が液晶表示部５９に表示される。
【００８９】
次いで、ＣＰＵ５１は、ユーザによって部数確定キー６４が押下されるか否かを判断する（Ｓ１９）。ユーザが部数確定キー６４を押下することによって、ＣＰＵ５１が、部数確定キー６４が押下されたと判断すれば（Ｓ１９：ＹＥＳ）、現在設定されている印刷部数に、部数加算キー６２または部数減算キー６３の押下により増減された変更部数が加算または減算され、それが変更後の印刷部数としてＲＡＭ５３に設定される。また、残りの印刷部数に、部数加算キー６２または部数減算キー６３の押下により増減された変更部数が加算または減算され、それが変更後の残りの印刷部数として、ＲＡＭ５３に設定される（Ｓ２０）。そして、その後、印刷部数変更プログラムが終了し、ＣＰＵ５１は、頁印刷処理を再開する。
【００９０】
なお、部数変更キー６１の押下後に、ユーザが印刷部数を変更しない場合には、部数加算キー６２または部数減算キー６３を押下することなく（Ｓ１７：ＮＯ）、部数確定キー６４を押下すれば（Ｓ１９：ＹＥＳ）、印刷部数がそのまま確定されて（Ｓ２０）、ＣＰＵ５１は、頁印刷処理を再開する。
【００９１】
次に、図８ないし図１０を参照して、ソート印刷に対応する印刷プログラムの処理について説明する。
【００９２】
まず、ソート印刷に対応する印刷プログラムが開始されると、ＣＰＵ５１は、入力された印刷ジョブに含まれている当初の印刷部数をＲＡＭ５３に設定する（Ｓ２１）。そして、ＣＰＵ５１は、１部目の１頁から順次頁毎に印刷する頁印刷処理を開始する（Ｓ２２）。
【００９３】
頁印刷処理が開始されると、ＣＰＵ５１は、その印刷動作中に、操作パネル５６の入力キー部６０のいずれかのキーの押下を監視する（Ｓ２３）。すなわち、ＣＰＵ５１は、まず、印刷中止キー６６が押下されるか否かを判断する（Ｓ２４）。
【００９４】
ユーザが、印刷動作中に印刷中止キー６６を押下することによって、ＣＰＵ５１が、印刷中止キー６６が押下されたと判断すれば（Ｓ２４：ＹＥＳ）、ＣＰＵ５１は、印刷動作を中止し、印刷プログラムを終了する。一方、ユーザが、印刷動作中に印刷中止キー６６を押下せず、ＣＰＵ５１が、印刷中止キー６６が押下されていないと判断すれば（Ｓ２４：ＮＯ）、ＣＰＵ５１は、次いで、印刷中断キー６５が押下されるか否かを判断する（Ｓ２５）。
【００９５】
ユーザが、印刷動作中に印刷中断キー６５を押下せず、ＣＰＵ５１が、印刷中断キー６５が押下されていないと判断すれば（Ｓ２５：ＮＯ）、ＣＰＵ５１は、次いで、部数変更キー６１が押下されるか否かを判断する（Ｓ２６）。
【００９６】
ユーザが、印刷動作中に部数変更キー６１を押下せず、ＣＰＵ５１が、部数変更キー６１が押下されていないと判断すれば（Ｓ２６：ＮＯ）、ＣＰＵ５１は、当該頁の印刷動作の終了と同時に、頁印刷処理を終了する（Ｓ２７：ＹＥＳ）。また、印刷動作が終了していなければ（Ｓ２７：ＮＯ）、キー監視（Ｓ２３）に戻る。そして、ＣＰＵ５１は、１部の印刷がすべて終了したか否かを判断する（Ｓ２８）。
【００９７】
ＣＰＵ５１が、１部の印刷がすべて終了していないと判断すると（Ｓ２８：ＮＯ）、ＣＰＵ５１は、再び、その部における次頁の頁印刷処理を開始する（Ｓ２２）。
【００９８】
より具体的には、たとえば、図４（ｂ）において、たとえば、１部目の１頁の頁印刷処理が終了した時点（Ｓ２７）では、１部目の２頁があるので、ＣＰＵ５１は、１部が終了していないと判断し（Ｓ２８：ＮＯ）、１部目の２頁の頁印刷処理を開始する（Ｓ２２）。
【００９９】
一方、ＣＰＵ５１が、１部目の印刷が終了したと判断すれば（Ｓ２８：ＹＥＳ）、ＣＰＵ５１は、残り印刷部数から１を差し引いた印刷部数を、残りの印刷部数としてＲＡＭ５３に設定し（Ｓ２９）、次いで、この残り印刷部数が０よりも多い印刷部数であるか否かを判断する（Ｓ３０）。
【０１００】
ＣＰＵ５１が、残り印刷部数が０よりも多い印刷部数であると判断すれば（Ｓ３０：ＹＥＳ）、ＣＰＵ５１は、次の部の１頁の頁印刷処理を開始する（Ｓ２２）。
【０１０１】
より具体的には、図４（ｂ）において、たとえば、１部目の４頁の頁印刷処理が終了した時点（Ｓ２７）では、印刷部数は３であり、次いで、Ｓ２９において、残り印刷部数が３−１＝２と設定される（Ｓ２９）。そして、残り印刷部数が０よりも多い２であるので（Ｓ２９：ＹＥＳ）、ＣＰＵ５１は、２部目の１頁の頁印刷処理（Ｓ２２〜Ｓ２７）を実行する。
【０１０２】
一方、ＣＰＵ５１が、残り印刷部数が０であると判断すれば（Ｓ３０：ＮＯ）、印刷プログラムの処理は終了する。
【０１０３】
より具体的には、図４（ｂ）において、３部目の４頁の頁印刷処理が終了すると（Ｓ２７）、３部目の印刷がすべて終了し（Ｓ２８：ＹＥＳ）、残り印刷部数が０となるので（Ｓ２９）、残りの印刷部数があるか否かが判断されるが（Ｓ３０）、残りの印刷部数がないので（Ｓ３０：ＮＯ）、印刷プログラム処理は終了する。
【０１０４】
そして、この印刷プログラムの処理において、印刷動作の途中、たとえば、１部目の１頁ないし３部目の４頁を印刷している印刷動作中に、ユーザが印刷中断キー６５を押下することによって、ＣＰＵ５１が、印刷中断キー６５が押下されたと判断すれば（Ｓ２５：ＹＥＳ）、印刷動作が中断され、次いで、ＣＰＵ５１は、図９に示すように、部数変更キー６１が押下されるか否かを判断する（Ｓ３１）。
【０１０５】
そして、印刷動作の中断後において、ユーザが、印刷部数を変更したい場合には、部数変更キー６１を押下する。そうすると、ＣＰＵ５１が、部数変更キー６１が押下されたと判断して（Ｓ３１：ＹＥＳ）、印刷プログラムに含まれる印刷部数変更プログラムが起動され、ＣＰＵ５１は、部数加算キー６２または部数減算キー６３が押下されるか否かを判断する（Ｓ３２）。
【０１０６】
なお、印刷動作の中断後において、ユーザが、印刷部数を変更しない場合には、部数変更キー６１を押下することなく（Ｓ３１：ＮＯ）、再度、印刷中断キー６５を押下すれば（Ｓ３６：ＹＥＳ）、頁印刷処理が再開される。
【０１０７】
そして、ＣＰＵ５１が、部数変更キー６１が押下されたと判断した後（Ｓ３１：ＹＥＳ）、ユーザは、部数加算キー６２または部数減算キー６３を押下して、変更したい印刷部数を入力する。そうすると、ＣＰＵ５１は、部数加算キー６２または部数減算キー６３の押下の回数に従って（Ｓ３２：ＹＥＳ）、変更部数をカウントする（Ｓ３３）。
【０１０８】
変更部数の入力は、たとえば、上記と同様に、部数加算キー６２の「＋」キーを１回押下する毎に、印刷部数が１部ずつ増加され、部数減算キー６３の「−」キーを１回押下する毎に、印刷部数が１部ずつ減少される。このとき、部数加算キー６２または部数減算キー６３の押下によって変更された印刷部数が液晶表示部５９に表示される。
【０１０９】
次いで、ＣＰＵ５１は、ユーザによって部数確定キー６４が押下されるか否かを判断する（Ｓ３４）。ユーザが部数確定キー６４を押下することによって、ＣＰＵ５１が、部数確定キー６４が押下されたと判断すれば（Ｓ３４：ＹＥＳ）、現在設定されている印刷部数に、部数加算キー６２または部数減算キー６３の押下により増減された変更部数が加算または減算され、それが変更後の印刷部数としてＲＡＭ５３に設定される。また、残りの印刷部数に、部数加算キー６２または部数減算キー６３の押下により増減された変更部数が加算または減算され、それが変更後の残りの印刷部数としてＲＡＭ５３に設定される（Ｓ３５）。そして、その後、印刷部数変更プログラムが終了する。
【０１１０】
なお、部数変更キー６１の押下後に、ユーザが印刷部数を変更しない場合には、部数加算キー６２または部数減算キー６３を押下することなく（Ｓ３２：ＮＯ）、部数確定キー６４を押下すれば（Ｓ３４：ＹＥＳ）、印刷部数がそのまま確定される（Ｓ３５）。
【０１１１】
そして、ＣＰＵ５１は、ユーザが印刷中断キー６５を、再度押下するか否かを判断し（Ｓ３６）、印刷中断キー６５が押下されていないと判断すれば（Ｓ３６：ＮＯ）、Ｓ３１の判断へ戻り、印刷中断キー６５が押下されたと判断すれば（Ｓ３６：ＹＥＳ）、頁印刷処理を再開する。
【０１１２】
また、図８において、印刷動作の途中、たとえば、１部目の１頁ないし３部目の４頁の印刷動作中に、ユーザが部数変更キー６１を押下することによって、ＣＰＵ５１が部数変更キー６１が押下されたと判断すれば（Ｓ２６：ＹＥＳ）、次いで、印刷プログラムに含まれる印刷部数変更プログラムが起動され、ＣＰＵ５１は、図１０に示すように、部数加算キー６２または部数減算キー６３が押下されるか否かを判断する（Ｓ３７）。
【０１１３】
そして、ユーザが、部数加算キー６２または部数減算キー６３を押下することによって、ＣＰＵ５１が、部数加算キー６２または部数減算キー６３が押下されたと判断すれば（Ｓ３７：ＹＥＳ）、上記と同様にして、部数加算キー６２の「＋」キーを１回押下する毎に、印刷部数が１部ずつ増加され、部数減算キー６３の「−」キーを１回押下する毎に、印刷部数が１部ずつ減少される。そして、これら部数加算キー６２または部数減算キー６３の押下の回数に従った変更部数が入力される（Ｓ３８）。このとき、部数加算キー６２または部数減算キー６３の押下によって変更された印刷部数が液晶表示部５９に表示される。
【０１１４】
次いで、ＣＰＵ５１は、ユーザによって部数確定キー６４が押下されるか否かを判断する（Ｓ３９）。ユーザが部数確定キー６４を押下することによって、ＣＰＵ５１が、部数確定キー６４が押下されたと判断すれば（Ｓ３９：ＹＥＳ）、現在設定されている印刷部数に、部数加算キー６２または部数減算キー６３の押下により増減された変更部数が加算または減算され、それが変更後の印刷部数としてＲＡＭ５３に設定される。また、残りの印刷部数に、部数加算キー６２または部数減算キー６３の押下により増減された変更部数が加算または減算され、それが変更後の残りの印刷部数としてＲＡＭ５３に設定される（Ｓ４０）。そして、その後、印刷部数変更プログラムが終了し、ＣＰＵ５１は、頁印刷処理を再開する。
【０１１５】
なお、部数変更キー６１の押下後に、ユーザが印刷部数を変更しない場合には、部数加算キー６２または部数減算キー６３を押下することなく（Ｓ３７：ＮＯ）、部数確定キー６４を押下すれば（Ｓ３９：ＹＥＳ）、印刷部数がそのまま確定されて（Ｓ４０）、ＣＰＵ５１は、頁印刷処理を再開する。
【０１１６】
そして、上記したスタック印刷処理およびソート印刷処理のいずれも、スタック印刷処理ではＳ６およびＳ１７〜Ｓ２０において、ソート印刷ではＳ２６およびＳ３７〜Ｓ４０において、印刷部数変更プログラムが実行され、入力キー部６０の部数変更キー６１、部数加算キー６２、部数減算キー６３および部数確定キー６４によって、印刷動作中に、ＲＡＭ５３に記憶される印刷部数を変更することができる。そのため、ＣＰＵ５１は、印刷動作中に変更された印刷部数を、印刷動作を中断させることなく、用紙３に連続して印刷させることができる。これにより、印刷時間の短縮化および印刷効率の向上を図ることができる。
【０１１７】
また、ユーザが、印刷部数を変更したい場合には、変更したい印刷部数を、入力キー部６０の部数変更キー６１、部数加算キー６２、部数減算キー６３および部数確定キー６４を操作することによって変更することができるので、簡易かつ確実に印刷部数の変更を行なうことができる。
【０１１８】
また、上記の処理によると、印刷中断キー６５を押下することによって、印刷動作を中断して、その印刷中断中に、上記したように、入力キー部６０のキー操作によって、ＲＡＭ５３に記憶された印刷部数を変更することができる。そのため、印刷状況に対応して、印刷動作中に印刷部数を変更するか、印刷動作を中断して印刷部数を変更するかを選択することができる。
【０１１９】
すなわち、たとえば、図４（ａ）に示すスタック印刷において、１頁目の３部の印刷途中に、印刷部数を３部から４部に増やしたい場合に、印刷動作中に印刷部数を変更すると、キー操作をしている間に、２頁目の１部の印刷が開始されてしまう場合がある。
【０１２０】
また、図４（ａ）に示すスタック印刷において、１頁目の２部の印刷途中に、印刷部数を３部から２部に減らしたい場合に、印刷動作中に印刷部数を変更すると、キー操作をしている間に、１頁目の３部の印刷が開始されてしまう場合がある。このような場合には、印刷動作中にキー操作するよりも、印刷動作を一旦中断してからキー操作する方が、確実な印刷部数の変更を確保することができる。
【０１２１】
さらに、たとえば、図４（ｂ）に示すソート印刷において、３部目の４頁の印刷途中に、印刷部数を３部から４部に増やしたい場合に、印刷動作中に印刷部数を変更すると、キー操作をしている間に、印刷動作が終了してしまう場合がある。
【０１２２】
また、たとえば、図４（ｂ）に示すソート印刷において、２部目の４頁の印刷途中に、印刷部数を３部から２部に減らしたい場合に、印刷動作中に印刷部数を変更すると、キー操作をしている間に、３部目の１頁の印刷が開始されてしまう場合がある。このような場合には、印刷動作中にキー操作するよりも、印刷動作を一旦中断してからキー操作する方が、確実な印刷部数の変更を確保することができる。
【０１２３】
さらに、上記の処理によると、ユーザが、印刷中止キー６６を押下することによって、印刷動作を中止することができるので、所望の印刷枚数がすでに印刷されていれば、印刷部数を変更することなく、印刷中止キー６６の押下により印刷動作を中止すれば、作業の効率化を図ることができる。
【０１２４】
また、上記の処理によると、ＲＡＭ５３に記憶された印刷部数を、部数加算キー６２および部数減算キー６３によって増減し、その増減した変更部数を、部数確定キー６４によって確定することで、増減した印刷部数を確実に設定することができる。そのため、確実な印刷処理を達成することができる。
【０１２５】
また、上記のソート印刷においては、たとえば、印刷部数変更プログラムの実行により、Ｓ３１〜Ｓ３６およびＳ３７〜Ｓ４０において、ユーザが、印刷動作の途中で、印刷部数を変更しても、ＣＰＵ５１は、変更された印刷部数を、そのときに印刷されている部が終了するまで（Ｓ２８：ＹＥＳ）判断しない。
【０１２６】
より具体的には、たとえば、３部目の１頁を印刷している場合に、ユーザが、印刷部数を３部から２部に変更しても、ＣＰＵ５１は、その印刷時の部における印刷動作が終了するまでは、変更された部数を判断しないので、印刷している３部目の途中で印刷動作が終了されることがない。そのため、半端な印刷部数が生じることを防止することができる。
【０１２７】
以上、本発明の実施形態について説明したが、本発明は、その他の実施形態においても実施することができる。たとえば、上記の実施形態においては、レーザプリンタ１を例に挙げて、本発明について説明したが、本発明は、レーザプリンタ１に限らず、インクジェットプリンタなどのその他の印刷装置においても適用することができる。
【０１２８】
また、上記の実施形態においては、ユーザが、部数加算キー６２または部数減算キー６３を押下した後、部数確定キー６４を押下することによって、変更部数を確定したが、たとえば、部数確定キー６４を設けずに、部数加算キー６２または部数減算キー６３を押下することによって、そのまま、変更部数を確定させてもよい。
【０１２９】
また、上記の実施形態においては、ユーザが、部数変更キー６１を押下した後に、部数加算キー６２または部数減算キー６３を押下することによって、印刷部数を変更したが、部数変更キー６１を設けずに、直接、部数加算キー６２または部数減算キー６３を押下することによって、印刷部数を変更できるようにしてもよい。
【０１３０】
また、上記の実施形態においては、レーザプリンタ１に設けられた入力キー部６０によって、部数の変更などを行なうようにしたが、ＰＣ５８のキーボードから印刷部数を変更できるようにしてもよい。
【０１３１】
【発明の効果】
以上述べたように、請求項１に記載の発明によれば、印刷効率の向上を図ることができる。
【０１３２】
請求項２に記載の発明によれば、装置コストの低減化を図り、迅速な印刷処理を達成することができる。
【０１３３】
請求項３に記載の発明によれば、作業効率の向上を図ることができる。
【０１３４】
請求項４に記載の発明によれば、簡易かつ確実に印刷部数の変更を行なうことができる。
【０１３５】
請求項５に記載の発明によれば、印刷状況に対応して、印刷動作中に印刷部数を変更するか、印刷動作を中断して印刷部数を変更するかを選択することができる。
【０１３６】
請求項６に記載の発明によれば、印刷部数を変更せず、中止すれば、作業の効率化を図ることができる。
【０１３７】
請求項７に記載の発明によれば、印刷部数増減手段によって増減した印刷部数を確実に設定して、確実な印刷処理を達成することができる。
【０１３８】
請求項８記載の発明によれば、印刷している部数の途中で印刷動作が終了されることなく、半端な印刷部数が生じることを防止することができる。
【図面の簡単な説明】
【図１】本発明の印刷装置としてのレーザプリンタの一実施形態を示す要部側断面図である。
【図２】図１に示すレーザプリンタの電気的な構成を示すブロック図である。
【図３】図２に示す操作パネルの一実施形態を示す平面図である。
【図４】複数の印刷部数を印刷する場合における印刷方式を示す図であり、図４（ａ）は、スタック印刷の印刷方式を示す図であり、図４（ｂ）は、ソート印刷の印刷方式を示す図である。
【図５】スタック印刷に対応する印刷プログラムを示すフロー図である。
【図６】図５における印刷中断キーが押下された場合の印刷プログラムの一部を示すフロー図である。
【図７】図５における部数変更キーが押下された場合の印刷プログラムの一部を示すフロー図である。
【図８】ソート印刷に対応する印刷プログラムを示すフロー図である。
【図９】図８における印刷中断キーが押下された場合の印刷プログラムの一部を示すフロー図である。
【図１０】図８における部数変更キーが押下された場合の印刷プログラムの一部を示すフロー図である。
【符号の説明】
１　　レーザプリンタ
３　　用紙
４２　エンジン
５１　ＣＰＵ
５３　ＲＡＭ
６０　入力キー部
６１　部数変更キー
６２　部数加算キー
６３　部数減算キー
６４　部数確定キー
６５　印刷中断キー
６６　印刷中止キー
【図１】
2004114453.tif 000003
【図２】
2004114453.tif 000004
【図３】
2004114453.tif 000005
【図４】
2004114453.tif 000006
【図５】
2004114453.tif 000007
【図６】
2004114453.tif 000008
【図７】
2004114453.tif 000009
【図８】
2004114453.tif 000010
【図９】
2004114453.tif 000011
【図１０】
2004114453.tif 000012